(57)【要約】【課題】断面多角形状の人工骨が充填された場合に、人工骨が内部に詰まることを抑制し得る人工骨補填容器を提供する。【解決手段】人工骨補填容器１において、貯留部１０は、第１軸線Ｏに沿って延びる平面からなる第１平坦内面１０Ｂが第１軸線Ｏの周りに環状に複数配置されてなる第１内周面１０Ａを有する。貯留部１０を第１軸線Ｏと直交する方向に切断した切断面での第１内周面１０Ａの形状は、所定数の角部を有する多角形状である。人工骨３０は、第２軸線Ｚ１に沿って延びる平面からなる平坦外面３０Ｂが第２軸線Ｚ１の周りに環状に配置されてなる外周面３０Ａを有する。人工骨３０を第２軸線Ｚ１と直交する方向に切断した切断面での外周面３０Ａの形状は、所定数の角部を有する多角形状である。貯留部１０は、各々の第１平坦内面１０Ｂを各々の平坦外面３０Ｂと対向させるように嵌り合わせた状態で人工骨３０を貯留する。【選択図】図４
2020178902.tif 000002
【特許請求の範囲】
【請求項１】
第１軸線の方向に沿って延びる一端および他端が開口した筒状の筒部を備え、
前記筒部は、自身の内周面の大きさが前記第１軸線の方向の所定範囲に亘って一定であるとともに複数の人工骨を前記第１軸線に沿うように自身の内部に一列に貯留する貯留部と、前記貯留部よりも前記一端側に設けられるとともに自身の前記一端側ほど内部空間が狭くなる縮径部と、前記一端から前記他端側に向かって延びるスリットと、を有し、
前記貯留部内に貯留された前記人工骨が前記他端側から押されることに応じて、前記人工骨が前記縮径部を通って前記筒部の前記一端から排出される人工骨補填容器であって、
前記貯留部は、前記第１軸線に沿って延びる平面からなる第１平坦内面が前記第１軸線の周りに環状に複数配置されてなる第１内周面を有し、前記貯留部を前記第１軸線と直交する方向に切断した切断面での前記第１内周面の形状が所定数の角部を有する多角形状であり、
前記人工骨は、第２軸線に沿って延びる平面からなる平坦外面が前記第２軸線の周りに環状に配置されてなる外周面を有し、前記人工骨を前記第２軸線と直交する方向に切断した切断面での前記外周面の形状が前記所定数の角部を有する多角形状であり、
前記貯留部は、各々の前記第１平坦内面を各々の前記平坦外面と対向させるように嵌り合わせた状態で前記人工骨を貯留する
人工骨補填容器。
【請求項２】
前記縮径部は、前記第２軸線に沿って延びる平面からなる第２平坦内面が前記第１軸線の周りに環状に複数配置されるとともに各々の前記第２平坦内面が各々の前記第１平坦内面の前記一端側にそれぞれ設けられてなる第２内周面を有し、前記第１軸線と直交する方向に切断した切断面での前記第２内周面の形状が前記所定数の角部を有する多角形状であり、
隣り合う前記第２平坦内面間に前記スリットが形成されている
請求項１に記載の人工骨補填容器。
【発明の詳細な説明】
【技術分野】
【０００１】
本発明は人工骨補填容器に関するものである。
【背景技術】
【０００２】
特許文献１には、円柱状や顆粒状の人工骨を骨欠損部に補填するために用いられる人工骨補填容器が開示されている。この人工骨補填容器は、両端が開口した管状部を有しており、管状部の排出側端部は、排出側とは反対側の端部から充填された人工骨が排出されないようにすぼまっている。更に、管状部には、排出側端部寄りに設けられた縮径部から管状部の中心軸と同方向に延びるように切り込みが設けられている。この人工骨補填容器は、排出側とは反対側の端部から細い棒が挿入されることで人工骨が押し出され、押し出される人工骨によって縮径部が外側に広げられる。そして、縮径部を通り抜けた人工骨が排出側端部から排出されるようになっている。
【先行技術文献】
【特許文献】
【０００３】
【特許文献１】特開２０１８−１１４２５５号公報
【発明の概要】
【発明が解決しようとする課題】
【０００４】
しかしながら、特許文献１の人工骨補填容器は、管状部の内周面が円筒状の面であるため、充填された人工骨が安定的に静止しにくく、人工骨が容器内で回転しやすいという問題がある。特に、断面多角形状の人工骨（例えば、角柱状の人工骨）を充填する場合、人工骨の外周面形状と管状部の内周面形状が大きく異なることに起因して余分な隙間が大きくなり、上記の問題は顕著になる。
【０００５】
本発明は、上述した課題の少なくとも一つを解決するためになされたものであり、断面多角形状の人工骨が充填された場合に、人工骨が内部に詰まることを抑制し得る人工骨補填容器を提供することを目的としている。
【課題を解決するための手段】
【０００６】
本発明の人工骨補填容器は、
第１軸線の方向に沿って延びる一端および他端が開口した筒状の筒部を備え、
前記筒部は、自身の内周面の大きさが前記第１軸線の方向の所定範囲に亘って一定であるとともに複数の人工骨を前記第１軸線に沿うように自身の内部に一列に貯留する貯留部と、前記貯留部よりも前記一端側に設けられるとともに自身の前記一端側ほど内部空間が狭くなる縮径部と、前記一端から前記他端側に向かって延びるスリットと、を有し、
前記貯留部内に貯留された前記人工骨が前記他端側から押されることに応じて、前記人工骨が前記縮径部を通って前記筒部の前記一端から排出される人工骨補填容器であって、
前記貯留部は、前記第１軸線に沿って延びる平面からなる第１平坦内面が前記第１軸線の周りに環状に複数配置されてなる第１内周面を有し、前記貯留部を前記第１軸線と直交する方向に切断した切断面での前記第１内周面の形状が所定数の角部を有する多角形状であり、
前記人工骨は、第２軸線に沿って延びる平面からなる平坦外面が前記第２軸線の周りに環状に配置されてなる外周面を有し、前記人工骨を前記第２軸線と直交する方向に切断した切断面での前記外周面の形状が前記所定数の角部を有する多角形状であり、
前記貯留部は、各々の前記第１平坦内面を各々の前記平坦外面と対向させるように嵌り合わせた状態で前記人工骨を貯留する。
【０００７】
上記の人工骨補填容器では、貯留部を第１軸線と直交する方向に切断した切断面での内周面（第１内周面）の形状が所定数の角部を有する多角形状をなす。一方で、人工骨を第２軸線と直交する方向に切断した切断面での外周面の形状が上記所定数と同数の角部を有する多角形状をなす。そして、貯留部は、第１内周面を構成する各々の第１平坦内面を人工骨の外周面を構成する各々の平坦外面と対向させるように嵌り合わせた状態で人工骨を貯留する。このような構成であるため、貯留部に対する人工骨の姿勢が変化しにくくなるため、人工骨の姿勢が容器内で変化することに起因する人工骨の詰まりを抑制することができる。よって、断面多角形状の人工骨が充填された場合に、人工骨が内部に詰まることを抑制し得る人工骨補填容器を実現できる。
【０００８】
上記の人工骨補填容器において、縮径部は、第２軸線に沿って延びる平面からなる第２平坦内面が第１軸線の周りに環状に複数配置されるとともに各々の第２平坦内面が各々の第１平坦内面の一端側にそれぞれ設けられてなる第２内周面を有していてもよい。そして、第１軸線と直交する方向に切断した切断面での第２内周面の形状が所定数の角部を有する多角形状であってもよい。そして、隣り合う第２平坦内面間にスリットが形成されていてもよい。
【０００９】
この人工骨補填容器では、貯留部に貯留された人工骨が他端側から押された際に、人工骨は、各々の平坦外面を貯留部の各々の第１平坦内面に対向させた姿勢を維持しながら貯留部によって円滑に案内される。そして、縮径部の位置まで達した人工骨は、各々の平坦外面を縮径部の各々の第２平坦内面に対向させる位置関係となり、各々の平坦外面が各々の第２平坦内面を径方向外側に押し出す力を加えながら一端側に向かって移動するように作用する。
このような作用が生じる構成に加え、「隣り合う第２平坦内面間にスリットが形成されている」という特徴が付加されている。つまり、縮径部において第１軸線から相対的に近い部分（各第２平坦内面における周方向中心付近）にスリットを形成せずに、第１軸線から相対的に遠い部分（各第２平坦内面の境界付近）にスリットを形成している。このような構成であるため、人工骨の各平坦外面が縮径部の各第２平坦内面を押し出して縮径部近傍の片持ち部を撓み変形させる際に、人工骨が縮径部を通り抜けるために必要な撓み変形量を抑えることができる。
【発明の効果】
【００１０】
本発明の人工骨補填容器によれば、断面多角形状の人工骨が充填された場合に、人工骨が内部に詰まることを抑制し得る。
【図面の簡単な説明】
【００１１】
【図１】図１は、第１実施形態の人工骨補填容器を概略的に例示する正面図である。
【図２】図２は、図１の人工骨補填容器の底面図である。
【図３】図３は、図２のＡ−Ａ線で切断した切断面を概略的に示す断面図である。
【図４】図４は、図１のＢ−Ｂ線で切断した切断面を概略的に示す断面図である。
【図５】図５は、図１の人工骨補填容器で用いる人工骨を概略的に例示する平面図である。
【図６】図６は、図５の人工骨の正面図である。
【図７】図７は、図５の人工骨を高さ方向中央位置で第２平面方向（高さ方向と直交する平面方向）に切断した切断面を概略的に例示する正面図である。
【図８】図８は、第１実施形態の人工骨補填容器について、片持ち部が筒部の径方向外側に広がった状態を例示する底面図である。
【図９】図９は、他の例の人工骨補填容器について、片持ち部が筒部の径方向外側に広がった状態を例示する正面図である。
【発明を実施するための形態】
【００１２】
１．第１実施形態
１−１．人工骨補填容器１
図１で例示される人工骨補填容器１は、顆粒状の人工骨３０を骨欠損部に補填するために用いられる器具である。人工骨補填容器１は、第２軸線Ｚ１（図６）の方向に沿った外周面３０Ａを有する人工骨３０を筒部２内に複数収容し、筒部２の一端（先端）から各々の人工骨３０を排出するように機能するものである。
【００１３】
人工骨補填容器１は、第１軸線Ｏの方向（以下、第１軸線方向ともいう）に沿って延びる細長い筒状をなしており、例えばポリカーボネート、ポリプロピレン、ポリサルフォン、ポリエチレンテレフタレート、ポリエチレン等の樹脂材料からなる。
【００１４】
第１軸線Ｏは、後述する筒部２の中心軸であり、筒部２の内周面及び外周面の中心となっている。なお、本明細書では、第１軸線Ｏの方向の一端側を先端側とし、第１軸線Ｏの方向（第１軸線方向）の他端側を後端側とする。具体的には、人工骨補填容器１において第１開口部４が設けられた側を他端側（後端側）とし、第２開口部５が設けられた側を一端側（先端側）とする。以下の説明では、筒部２の一端を先端とも称し、筒部２の他端を後端とも称する。
【００１５】
人工骨補填容器１は、スリット３を有する筒部２を備える、貯留部１０内に貯留された人工骨３０が他端側（後端側）から押されることに応じて、人工骨３０が縮径部１２を通って筒部２の一端から排出されるようになっている。
【００１６】
図２で示されるように、スリット３は、筒部２の周方向の複数箇所（本実施例では４箇所）に等間隔で設けられている。筒部２は、周方向において隣り合うスリット間に設けられた複数（本実施例では４つ）の片持ち部６を有している。片持ち部６は、第１軸線Ｏの方向に沿って延びており、他端部（後端部）が固定された片持ち状をなしている。この片持ち部６は、他端部を支点として第１軸線Ｏの方向と直交する方向に弾性変形（撓み変形）し得る構成となっている。
【００１７】
スリット３は、筒部２の一端（先端）から他端側（後端側）に向かって延びる構成をなし、筒部２の一端から、後述のガイド部１６、小径部１４、縮径部１２、及び貯留部１０の一部に跨るように切り欠かれた形態で溝状に構成されている。図３のように、スリット３は、少なくとも縮径部１２の一端（先端）よりも他端側（後端側）まで延びており、より具体的には、貯留部１０の一端（先端）よりも他端側（後端側）まで延びている。
【００１８】
図３で示されるように、筒部２は、第１軸線Ｏの方向に沿って延びる一端及び他端が開口した形状をなしている。筒部２は、他端側に第１開口部４が設けられ、一端側に第２開口部５が設けられている。第１開口部４は、人工骨補填容器１の他端（後端）において人工骨３０の入口（挿入口）として機能するとともに、筒部２内に貯留された人工骨３０を押し出す棒状の押出器の挿入口としても機能する。第２開口部５は、人工骨補填容器１の一端（先端）において人工骨３０の出口（排出口）として機能する。筒部２における第１軸線方向の各位置での厚さは、例えば０．３ｍｍ〜１．０ｍｍの範囲内となっている。
【００１９】
図３で示されるように、筒部２は、貯留部１０と、縮径部１２と、小径部１４と、ガイド部１６とを有する。図３では、第１軸線方向において、貯留部１０の領域を符号ＡＲ１で示し、縮径部１２の領域を符号ＡＲ２で示し、小径部１４の領域を符号ＡＲ３で示し、ガイド部１６の領域を符号ＡＲ４で示す。
【００２０】
以下の説明では、第１軸線と直交する方向を第１平面方向とする。筒部２は、第１軸線Ｏの方向のいずれの位置でも、第１軸線と直交する平面方向（第１平面方向）に切断した切断面での外周面の形状が円形状（具体的には、真円又は真円の一部が欠けた円形状）となるように構成されている。筒部２は、第１軸線方向の略全範囲において、上記第１平面方向の切断面での外周面の形状が一定外径の円形状となっている。このような一定外径の外周面は、貯留部１０の領域と、縮径部１２の領域と、小径部１４の領域と、ガイド部１６の領域とに跨るように配置されている。
【００２１】
筒部２は、第１軸線方向のいずれの位置で第１平面方向に切断した切断面でも、内周面の形状が多角形状（具体的には、四角形状は四角形の一部が欠けた四角形状）となるように構成されている。但し、上記切断面での内周面の図形（多角形状の図形）のサイズは、第１軸線方向の位置によって異なる。
【００２２】
図３で示されるように、貯留部１０は、自身の内周面１０Ａの大きさが第１軸線Ｏの方向の所定範囲に亘って一定であるとともに複数の人工骨３０を第１軸線Ｏに沿うように自身の内部に一列に貯留する部分である。貯留部１０は、筒状をなしており、第１開口部４と第２開口部５との間に配置されている。貯留部１０は、自身の他端（後端）の開口部が上述した第１開口部４となっており、第１開口部４から入れられた人工骨３０を貯留するように機能する。貯留部１０は、第１軸線方向の所定範囲（縮径部１２の他端（後端）よりも他端側（後端側）の範囲）に亘り、第１平面方向（第１軸線Ｏの方向と直交する平面方向）の切断面での自身の内周面１０Ａの大きさが一定である。具体的には、貯留部１０は、自身における第１軸線方向の略全範囲に亘り、第１軸線Ｏと直交する方向（第１平面方向）に切断した切断面での内周面１０Ａの形状が一定サイズの正方形又はこの一定サイズの正方形の一部が欠けた正方形状となっている。
【００２３】
図４で示されるように、貯留部１０の内周面である第１内周面１０Ａ（以下、内周面１０Ａともいう）は、第１軸線Ｏに沿って延びる平面からなる第１平坦内面１０Ｂが第１軸線Ｏの周りに環状に複数配置されている。複数の第１平坦内面１０Ｂはいずれも第１軸線Ｏと平行な面であり、第１軸線Ｏ側に向いている。４つの第１平坦内面１０Ｂは、互いに平行に向かい合う２つの第１平坦内面１０Ｂの組を２組備える。これら２組のうち、一方の第１平坦内面１０Ｂの組の各面は、他方の第１平坦内面１０Ｂの組の各面に対して垂直に配置される。図４のように、貯留部１０は、４つの第１平坦内面１０Ｂを全て通る位置で第１軸線と直交する方向（第１平面方向）に切断した切断面での内周面（第１内周面１０Ａ）の形状が所定数の角部を有する多角形状となっている。
【００２４】
具体的には、貯留部１０は、４つの第１平坦内面１０Ｂを全て通る位置で第１平面方向に切断した切断面での内周面（第１内周面１０Ａ）の形状が、第１軸線Ｏを中心とし且つ４つの角部を有する所定サイズの正方形又はこのような所定サイズの正方形の一部が欠けた正方形状となっている。具体的には、スリット３が形成された領域で４つの第１平坦内面１０Ｂを全て通るように第１平面方向に切断した切断面での第１内周面１０Ａの形状は、第１軸線Ｏを中心とし且つ４つの角部を有する所定サイズの正方形の一部が欠けた正方形状となる。また、スリット３が形成されていない領域で４つの第１平坦内面１０Ｂを全て通るように第１平面方向に切断した切断面での第１内周面１０Ａの形状は、第１軸線Ｏを中心とし且つ４つの角部を有する正方形となる。なお、「第１軸線Ｏを中心とする正方形」とは、「対角線が交わる点が第１軸線Ｏの位置である正方形」と同義である。また、貯留部１０は第１軸線方向のいずれの位置で第１平面方向に切断した切断面でも、第１内周面１０Ａの外接円（即ち、上記の正方形の外接円である第１外接円）の直径は一定値Ｄ１である。この直径Ｄ１は、後述する第２外接円の直径Ｄ２よりも大きく、後述する第３外接円の最小円の直径Ｄ３よりも大きい。なお、図４では、第１外接円を符号Ｒ１で示す。
【００２５】
このように構成された貯留部１０は、人工骨３０の外周面３０Ａを自身の内周面１０Ａに対向させる位置関係で複数の人工骨３０を自身の内部に一列に貯留するように機能する。具体的には、図４のように、貯留部１０は、各々の第１平坦内面１０Ｂを各々の平坦外面３０Ｂと対向させるように嵌り合わせた状態で人工骨３０を貯留する
【００２６】
縮径部１２は、筒状をなしており、貯留部１０よりも一端側（先端側）に設けられる。縮径部１２は、自身の一端側（先端側）ほど内部空間が狭くなる筒状の形態をなす。縮径部１２の内周面である第２内周面１２Ａ（以下、内周面１２Ａともいう）は、一端側に向かうにつれて窄まるように小さくなる構成をなす。縮径部１２は、貯留部１０の一端側に続く構成で設けられ、貯留部１０の一端が縮径部１２の他端と一致している。縮径部１２の他端での内周面１２Ａの位置及び形状は、貯留部１０の一端での内周面１０Ａの位置及び形状と同一となっている。
【００２７】
縮径部１２を第１軸線方向のいずれの位置で上記第１平面方向（第１軸線Ｏの方向と直交する平面方向）に切断した切断面でも、内周面１２Ａの形状は第１軸線Ｏを中心とする正方形の一部が欠けた正方形状となる。そして、縮径部１２は、一端側（先端側）に向かうにつれ、第１平面方向の切断面での内周面１２Ａの大きさが小さくなる。つまり、縮径部１２を第１軸線方向の各位置で第１平面方向に切断した各切断面は、一端側の切断面ほど、内周面１２Ａの図形（第１軸線Ｏを中心とする正方形の一部が欠けた正方形状の図形）の大きさが小さくなる。そして、縮径部１２を第１軸線方向の各位置で第１平面方向に切断した切断面において内周面１２Ａに外接する外接円を第３外接円とした場合、一端側ほど、第３外接円の直径が小さくなる。そして、第１軸線方向の各位置での切断面で生じる各第３外接円のうち、縮径部１２の一端である先端１２Ｃ（後述する小径部１４との境界）での切断面で生じる第３外接円の直径が最も小さくなる。図３では、第３外接円の直径が最も小さくなる位置での第３外接円の直径をＤ３としている。この直径Ｄ３は、第１外接円の直径Ｄ１よりも小さく、後述する第２外接円の直径Ｄ２よりも小さい。
【００２８】
縮径部１２において第１軸線Ｏの方向いずれの位置でも外周面の径はＤａで一定である。従って、縮径部１２は、一端側に向かうにつれて厚さ（軸線と直交する半径方向の肉厚）が大きくなっている。
【００２９】
小径部１４は、筒状をなしており、縮径部１２とガイド部１６との間に設けられ、縮径部１２とガイド部１６とを連結する。小径部１４は、縮径部１２の一端側（先端側）に続く構成で設けられ、縮径部１２の一端（先端）が小径部１４の他端（後端）と一致している。小径部１４を第１軸線方向のいずれの位置で第１平面方向に切断した切断面でも、小径部１４の内周面の形状は、縮径部１２の一端で第１平面方向に切断した切断面での内周面の形状と同一となっている。
【００３０】
ガイド部１６は、筒状をなしており、縮径部１２よりも一端側（先端側）に設けられる。ガイド部１６は、小径部１４の一端側に続く構成で設けられ、小径部１４の一端位置（先端位置）がガイド部１６の他端位置（後端位置）となっている。また、ガイド部１６の他端の開口部が上述の第２開口部５となっている。
【００３１】
ガイド部１６を第１軸線方向のいずれの位置で第１平面方向（第１軸線Ｏの方向と直交する平面方向）に切断した切断面においても、内周面１６Ａの断面形状が第１軸線Ｏを中心とする正方形の一部を欠いた正方形状をなす。ガイド部１６は、一端側に向かうにつれ、上記第１平面方向の切断面において自身の内周面１６Ａの径が大きくなる。
【００３２】
ガイド部１６の内周面１６Ａは、ガイド部１６の他端（後端）付近において第１平面方向の断面形状が一定となるように構成される内周面２３と、内周面２３よりも一端側（先端側）において一端側ほど第１平面方向の断面形状が大きくなるように構成される内周面２４とを有する。また、内周面２３の第１平面方向の断面形状は小径部１４の内周面の第１平面方向の断面形状よりも大きく、内周面２３と小径部１４の内周面とが段差状となっている。
【００３３】
ガイド部１６を第１軸線方向の各位置で第１平面方向に切断した切断面において内周面１６Ａに外接する外接円を第４外接円とした場合、一端側（先端側）ほど、第４外接円の直径が大きくなる。そして、第１軸線方向の各位置での切断面で生じる各第４外接円のうち、内周面２３での切断面で生じる第４外接円の直径が最も小さくなり、内周面２４の一端（先端）付近での切断面で生じる第４外接円の直径が最も大きくなる。ガイド部１６のいずれの位置でも、第４外接円の直径は上述の直径Ｄ３（第３外接円のうちの最小円の直径）よりも大きい。
【００３４】
このように構成された人工骨補填容器１では、貯留部１０内に貯留された人工骨３０が他端側から押圧されると、貯留部１０において最も一端側（先端側）に配置された人工骨３０が縮径部１２の内周面１２Ａを一端側に向かって押圧する。そして、このような押圧作用により、片持ち部６の各々が径方向外側に撓むように変形することとなる。その結果、縮径部１２内の空間が広がるように拡径し、人工骨３０が縮径部１２を越えるように一端側に向かって通過し、人工骨３０が第２開口部５から排出される。
【００３５】
図５、図６に示されるように、人工骨３０は、第１幅ＢＷ、第２幅ＢＬ、高さＢＨの略四角柱状をなしている。第１幅ＢＷと第２幅ＢＬは同じ長さである。第１幅ＢＷ及び第２幅ＢＬはいずれも高さＢＨよりも短い。
【００３６】
なお、本明細書では、人工骨３０の第２軸線Ｚ１の方向（以下、第２軸線方向ともいう）を高さ方向とし、高さ方向の長さを高さＢＨとしている。人工骨３０において高さ方向と直交する第１幅方向の長さを第１幅ＢＷとし、人工骨３０において高さ方向及び第１幅方向と直交する第２幅方向の長さを第２幅ＢＬとしている。図５、図６では、第１幅方向をＸ軸方向とし、第２幅方向をＹ軸方向とし、高さ方向をＺ軸方向としている。
【００３７】
人工骨３０は、第２軸線Ｚ１に沿って延びる平面からなる平坦外面３０Ｂが第２軸線Ｚ１の周りに環状に複数配置されてなる外周面３０Ａを有する。人工骨３０では、第２軸線Ｚ１の方向を高さ方向とした場合の径方向外側の外面が外周面である。具体的には、人工骨３０において第１幅方向の両側に配置される２つの平坦外面３０Ｂ及び第２幅方向の両側に配置される２つの平坦外面３０Ｂがいずれも外周面３０Ａの一部である。４つの平坦外面３０Ｂは、第２軸線Ｚ１に沿った面、即ち、高さ方向に沿った平坦面であり、具体的には、４つの平坦外面３０Ｂのいずれもが高さ方向と平行な平坦面となっている。人工骨３０は、第２軸線Ｚ１に沿った向きに配される４つの平坦外面３０Ｂのうち、対向し合う平坦外面同士が平行であり、このような平行な平坦外面の組が２組設けられている。そして、第１幅方向で対向し合う互いに平行な一対の平坦外面３０Ｂの各面と、第２幅方向で対向し合う互いに平行な一対の平坦外面３０Ｂの各面とが垂直関係となっている。
【００３８】
第２軸線Ｚ１と直交する方向を第２平面方向としたとき、全ての平坦外面３０Ｂを通る位置で人工骨３０を第２平面方向（第２軸線Ｚ１と直交する方向）に切断した切断面での外周面３０Ａの断面形状は、所定数（例えば４）の角部を有する多角形状をなす。具体的には、図７で示されるように、４つの平坦外面３０Ｂを全て通る第２平面方向の切断面での人工骨３０の外形は、４つの角部及び４つの辺を有する四角形状となっている。図７の例では、正方形の角を所定の湾曲度合いで湾曲させた正方形状（角部が丸まった正方形状）の断面外形となっている。
【００３９】
ここで、人工骨３０を高さ方向（第２軸線方向）と直交する方向（第２平面方向）に切断した切断面において人工骨３０の外周面に外接する外接円を第２外接円とする。図７では、人工骨３０を高さ方向中央位置で第２平面方向に切断した切断面を示しており、この切断面において人工骨３０の外周面３０Ａ（外縁）に外接する外接円が第２外接円となる。図７では、第２外接円を符号Ｒ２で示し、第２外接円の直径をＤ２としている。なお、第２外接円Ｒ２は、図５のように人工骨３０を平面視したときの人工骨３０の外縁図形に外接する外接円の形状と一致する。
【００４０】
人工骨補填容器１の貯留部１０は、このように構成された人工骨３０を貯留する。図３のように、貯留部１０では、各人工骨３０の第２軸線方向（高さ方向）が第１軸線方向に沿うように各人工骨３０の向きを揃え、複数の人工骨３０を第１軸線方向に並べる形態で一列に貯留する。具体的には、貯留部１０は、自身の内周面１０Ａを構成する各々の第１平坦内面１０Ｂを人工骨３０の外周面３０Ａを構成する各々の平坦外面３０Ｂと対向させるように嵌り合わせた状態で人工骨３０を収容するように貯留する。
【００４１】
本構成では、第２外接円の直径Ｄ２と、上述の第１外接円の直径Ｄ１との関係がＤ１≧Ｄ２となっている。更に、上述の第３外接円のうちの最小の直径Ｄ３と、第２外接円の直径Ｄ２との関係は、Ｄ３＜Ｄ２となっている。このような構成であるため、筒部２の第１軸線方向と人工骨３０の高さ方向（第２軸線方向）とを揃えた関係で人工骨３０を貯留部１０内に収容することができ、且つ、ある程度の力が加わらない限り人工骨３０が縮径部１２を通り抜けないようになる。
【００４２】
１−４．効果
人工骨補填容器１では、貯留部１０を第１軸線Ｏと直交する方向に切断した切断面での内周面（第１内周面１０Ａ）の形状が所定数（例えば４）の角部を有する多角形状をなす。一方で、人工骨３０を第２軸線Ｚ１と直交する方向に切断した切断面での外周面３０Ａの形状は、上記所定数（例えば４）と同数の角部を有する多角形状をなす。そして、貯留部１０は、第１内周面１０Ａを構成する各々の第１平坦内面１０Ｂと外周面３０Ａを構成する各々の平坦外面３０Ｂとをそれぞれ対向させるように嵌り合わせた状態で人工骨３０を貯留する。このような構成であるため、貯留部１０に対する人工骨３０の姿勢が変化しにくくなり、人工骨３０の姿勢が容器内で変化することに起因する人工骨３０の詰まりを抑制することができる。よって、断面多角形状の人工骨３０が充填された場合に、人工骨３０が内部に詰まることを抑制し得る人工骨補填容器１を実現できる。
【００４３】
更に、複数の第１平坦内面１０Ｂを全て通る位置で第１平面方向に切断した切断面における第１内周面１０Ａの断面形状（多角形）の内接円の直径をＤ５とした場合、Ｄ５＜Ｄ２であることが望ましい。例えば、図４のように、第１平面方向の切断面での断面形状が正方形となる第１内周面１０Ａの場合、その正方形の内接円の直径が上述の第２外接円の直径Ｄ２よりも小さいことが望ましい。このようにすれば、貯留部１０に収容される人工骨３０が第１軸線Ｏを中心とする周方向に回転することをより確実に防ぐことができる。
【００４４】
更に、本構成では、縮径部１２の内周面（第２内周面１２Ａ）は、複数の第２平坦内面１２Ｂが第１軸線Ｏの周りに環状に配置されるとともに各々の第２平坦内面１２Ｂが各々の第１平坦内面１０Ｂの一端側（先端側）にそれぞれ設けられた構成をなす。そして、第１軸線Ｏと直交する方向（第１平面方向）に切断した切断面での第２内周面１２Ａの形状は、上記所定数（例えば４）の角部を有する多角形状となる。そして、複数の第２平坦内面１２Ｂにおける隣り合う第２平坦内面間にスリット３がそれぞれ形成されている。
【００４５】
このように構成された人工骨補填容器１では、貯留部１０に貯留された人工骨３０が他端側から押された際に、人工骨３０は、各々の平坦外面３０Ｂを貯留部１０の各々の第１平坦内面１０Ｂに対向させた姿勢を維持しながら貯留部１０によって円滑に案内される。そして、縮径部１２の位置まで達した人工骨３０は、各々の平坦外面３０Ｂを縮径部１２の各々の第２平坦内面１２Ｂに対向させる位置関係となる。このような位置関係になった人工骨３０は、各々の平坦外面３０Ｂが各々の第２平坦内面１２Ｂを径方向外側に押し出す力を加えながら一端側に向かって移動するように作用する。図８は、このような作用によって片持ち部６を径方向外側に撓み変形させた状態を示している。
【００４６】
このような作用が生じる構成に加え、「隣り合う第２平坦内面１２Ｂ間にスリット３が形成されている」という特徴が付加されている。つまり、縮径部１２において第１軸線Ｏから相対的に近い部分（各第２平坦内面１２Ｂにおける周方向中心付近）にスリットを形成せずに、第１軸線Ｏから相対的に遠い部分（各第２平坦内面１２Ｂの境界付近）にスリット３を形成している。このような構成であるため、人工骨３０の各平坦外面３０Ｂが縮径部１２の各第２平坦内面１２Ｂを押し出して縮径部１２近傍の片持ち部６を撓み変形させる際に、人工骨３０が縮径部１２を通り抜けるために必要な撓み変形量を抑えることができる。
【００４７】
例えば、本構成では、図８のように、スリット３が各第２平坦内面１２Ｂの境界付近に形成され、人工骨３０の各々の平坦外面３０Ｂが縮径部１２の各々の第２平坦内面１２Ｂの周方向中心位置付近を押す構成である。このような構成であるため、人工骨３０が縮径部１２を通過する際に、片持ち部６の径方向の変位Ｅ１が小さくなる。
【００４８】
一方、図９で示される人工骨補填容器５１のように、スリット５３が各第２平坦内面の周方向中心位置付近に形成されている場合、人工骨３０の各々の角部３２付近が縮径部１２の各々の隅部付近（第２平坦内面の境界近く）を押す構成となる。このような構成であると、人工骨３０が縮径部１２を通過する際に、片持ち部５６の径方向の変位Ｅ２が大きくなる。図９で示される人工骨補填容器５１は、スリット５３の位置をスリット３とは異ならせた点が第１実施形態の人工骨補填容器１と異なり、それ以外は、人工骨補填容器１と同様の構成をなすものである。図９の人工骨補填容器５１に収容される人工骨３０は、第１実施形態の人工骨補填容器１で用いた人工骨３０と同一である。
【００４９】
＜他の実施形態＞
本発明は上記記述及び図面によって説明した実施形態に限定されるものではなく、例えば次のような実施形態も本発明の技術的範囲に含まれる。また、上述した実施形態や後述する実施形態の様々な特徴は、矛盾しない組み合わせであればどのように組み合わせてもよい。
【００５０】
第１実施形態では、第１開口部４から筒部２内に人工骨３０を入れる構成としたが、別の部分から入れる構成としてもよい。例えば、筒部２の側面に形成した開口部から入れる構成としてもよいし、筒部２の側面から分岐した分岐部を介して入れる構成としてもよい。
【００５１】
第１実施形態では、筒部２が小径部１４を備える構成としたが、筒部が小径部を備えない構成としてもよい。この場合、ガイド部の他端部（後端部）が縮径部の一端部（先端部）に連結されるようにすればよい。
【００５２】
第１実施形態では、筒部２がガイド部１６を備える構成としたが、筒部がガイド部を備えない構成としてもよい。この場合、縮径部の一端部（先端部）に第２開口部が設けられる構成としてもよいし、小径部の一端部（先端部）に第２開口部が設けられる構成としてもよい。
【００５３】
第１実施形態では、ガイド部１６の内周面が小径部１４の内周面に対して段差状をなす構成としたが、段差なく連続する構成としてもよい。
【００５４】
第１実施形態では、筒部２の内側の断面形状（第１平面方向の断面形状）を正方形状としたが、正方形状以外の四角形状であってもよく、四角形状以外の多角形状（例えば正方形状、長方形状、五角形状など）であってもよい。例えば、貯留部や縮径部を第１平面方向に切断した切断面の断面形状は、正方形状以外の四角形状（例えば、長方形又は長方形の一部が欠けた長方形状）であってもよい。或いは、貯留部や縮径部を第１平面方向に切断した切断面の断面形状は、四角形状以外の多角形状（例えば、正五角形又は正五角形の一部が欠けた正五角形状）であってもよい。いずれの場合も、人工骨の形状は貯留部や縮径部の形状に合わせればよい。つまり、人工骨を第２平面方向に切断した切断面の断面形状は、正方形状以外の四角形状（例えば、長方形又は長方形の角が湾曲した長方形状）であってもよく、四角形状以外の多角形状（例えば、正五角形又は正五角形の角が湾曲した正五角形状）であってもよい。
【符号の説明】
【００５５】
１…人工骨補填容器
２…筒部
３…スリット
１０…貯留部
１０Ａ…第１内周面
１０Ｂ…第１平坦内面
１２…縮径部
１２Ａ…第２内周面
１２Ｂ…第２平坦内面
３０…人工骨
３０Ａ…外周面
３０Ｂ…平坦外面
Ｏ…第１軸線
Ｚ１…第２軸線
【図１】
2020178902.tif 000003
【図２】
2020178902.tif 000004
【図３】
2020178902.tif 000005
【図４】
2020178902.tif 000006
【図５】
2020178902.tif 000007
【図６】
2020178902.tif 000008
【図７】
2020178902.tif 000009
【図８】
2020178902.tif 000010
【図９】
2020178902.tif 000011